(57)【要約】【課題】室内や屋外に長期間掲げても表面に塵埃が付着したり、直射日光による色褪せが生じることがなく、さらに暗闇で高輝度に長時間自然発光することにより、広告効果や標識力を高めることができる旗、幟、舞台幕および緞帳を提供すること。【解決手段】旗（１）、幟（１０）、舞台幕（１１）および緞帳（１２）を構成する基材（２）の少なくとも一側面に、単一あるいは多成分系の金属酸化物ガラス膜により形成されるガラス膜層（３）を設けたことを特徴とする。また、基材（２）とガラス膜層（３）との間に発光膜層（４）を介在させた。【選択図】    図１
2004252393.tif 000002
【特許請求の範囲】
【請求項１】
旗、幟、舞台幕および緞帳を構成する基材の少なくとも一側面に、単一あるいは多成分系の金属酸化物ガラス膜により形成されるガラス膜層を設けたことを特徴とする旗、幟、舞台幕および緞帳。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載の旗、幟、舞台幕および緞帳。
【請求項３】
前記基材とガラス膜層との間に、周囲の光を蓄え自然発光可能な蓄光剤による発光膜層を介在させた請求項１記載の旗、幟、舞台幕および緞帳。
【発明の詳細な説明】
【０００１】
【発明の属する技術分野】
本発明は、竿に掲げて標識や装飾に用いられる旗や幟、また舞台やステージ等に設置される舞台幕および緞帳において、特に、外観的劣化や汚付着を防ぐと共に、暗闇で長時間高輝度に自然発光することができる旗、幟、舞台幕および緞帳に関する。
【０００２】
【従来の技術】
一般的に国旗、信号旗、標識旗、祝賀旗、装飾旗等の旗や、宣伝広告等に使用される幟においては、長期間屋外に掲げられる場合が多く、表面に塵埃が付着したり、直射日光により色褪せが生じ、外観的な劣化が起きるという問題があった。また、舞台やステージ等に設置されている舞台幕や緞帳においても、長期使用中に塵埃が付着し、外観面で見劣りが生じた。そのため、土砂や浮遊塵埃、煤煙のような乾燥性汚れが付着し難く落ち易い、旗等に使用される防汚性繊維シートがある（例えば、特許文献１参照）。
【０００３】
【特許文献１】
特開２００２−４１７０号公報  （第２−３頁、図１）
【０００４】
【発明が解決しようとする課題】
しかし、上記特許文献１に記載されている防汚性繊維シートは、合成繊維からなる繊維シートの表裏両面にセラミックスからなる透明な防汚性被膜が物理蒸着により形成されているため、スパッタ蒸着等の加工面で多くの手間とコストが必要とされた。また、前記防汚性繊維シートにて形成された旗等は、夜間においてその存在感が薄くなり、広告効果や標識力が低下するという欠点もあった。
【０００５】
そこで本発明は上記の点に鑑み、長期間屋外室内に掲げても表面に塵埃が付着したり、直射日光による色褪せが生じることがなく、さらに暗闇で高輝度に長時間自然発光することにより、広告効果や標識力を高めることができる旗、幟、舞台幕および緞帳を提供することにある。
【０００６】
【課題を解決するための手段】
上記課題を解決するために、本発明は、旗、幟、舞台幕および緞帳を構成する基材の少なくとも一側面に、単一あるいは多成分系の金属酸化物ガラス膜により形成されるガラス膜層を設けたことを特徴とする。そのため、屋外や室内に長期間掲げても表面に塵埃が付着したり、直射日光による色褪せが生じることがなく、外観的劣化を防ぐことができる。
【０００７】
また、金属酸化物ガラス膜により形成されるガラス膜層を、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成する。
【０００８】
さらに、前記基材とガラス膜層との間に、周囲の光を蓄え自然発光可能な蓄光剤による発光膜層を介在させたことにより、旗、幟、舞台幕および緞帳が暗闇で高輝度に長時間自然発光するため、夜間において広告効果や標識力を高めることができる。
【０００９】
【発明の実施の形態】
次に、本発明の旗、幟、舞台幕および緞帳の実施の形態を図面に基づいて説明する。なお、図１は本発明の旗、幟、舞台幕および緞帳を構成する基材の拡大断面図、図２は他の好適例を示す基材の拡大断面図、図３は本発明の一実施例である旗の一部を欠切した正面図、図４は前記旗が暗闇で自然発光している状態、図５は本発明の一実施例である幟の正面図、図６は本発明の一実施例である舞台幕および緞帳の使用例をそれぞれ表す。
【００１０】
図１乃至図３に示す本発明の一実施例である旗１は、竿５に掲げられ、国旗、信号旗、標識旗、祝賀旗、装飾旗、もしくは幟等のさまざまな種類に利用されるものである。また前記旗１を構成する基材２は、織布、不織布、紙等の素材からなり、かかる基材２の少なくとも一側面には、図１に示すように、単一あるいは多成分系の金属酸化物ガラス膜により形成されるガラス膜層３が設けられている。
【００１１】
ガラス膜層３は、前記基材２の表面または表裏面をコーティングするように設けられる、単一あるいは多成分系の金属酸化物ガラス膜からなっている。そして、この金属酸化物ガラスからなるガラス膜層３の表面は、通常のガラス表面と同様に極めて滑らかである上に、鏡の表面のように光を反射するきらきらと輝く充分な光沢を有している。
【００１２】
また、このガラス膜層３は光透過性にも優れており、ガラス膜層３内を通過する光が有する光力をなんら減光することがない。また、ガラス膜層３は耐候性も極めて優れており、長期間屋外で風雨に晒されてもガラス自体が変色あるいは白濁することがなく、さらに塵埃や煤煙等が内部へと浸透することがく、外観的に劣化することがない。
【００１３】
また、前記ガラス膜層３を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、旗１の表面、もしくは表裏面に光触媒効作用を施すことにより、汚れの発生が抑えられ、旗１を洗濯したり汚れを拭う手間を省くことができる。
【００１４】
前記ガラス膜層３を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記基材２の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１５】
なお、前記ガラス膜層３は、適宜希釈して汎用のスプレーにて噴霧することにより、基材２の表面に容易に施すことができる。
【００１６】
また、他の好適例として、図２に示すように、前記基材２とガラス膜層３との間に、周囲の光を蓄え自然発光可能な蓄光剤による発光膜層４を介在させた。
【００１７】
発光膜層４は、光を蓄え自然発光が可能な蓄光剤からなっていて、この蓄光剤は、周知の金属化合物や希土類を複数混合し汎用の展色剤を混合して形成するものである。この発光膜層４の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００１８】
前記発光膜層４を例えば図柄ａ部分に設けることにより、図４に示すように、図柄ａの周囲が暗闇で高輝度に長時間自然発光するため、広告効果や標識力を高めることができる。
【００１９】
また、図５においては、宣伝広告等に使用される、本発明の一実施例である幟１０を示すものであり、幟１０の基材２の少なくとも一側面に前記ガラス膜層３が設けることにより、屋外に長期間掲げても表面に塵埃が付着したり、直射日光による色褪せが生じることがなく、外観的劣化を防ぐことができる。また、基材２とガラス膜層３との間に、周囲の光を蓄え自然発光可能な蓄光剤による発光膜層４を介在させたことにより、幟１０の全体が暗闇で高輝度に長時間自然発光するため、夜間において広告効果や標識力を高めることができる。
【００２０】
また、図６においては、舞台やステージ等に使用される、本発明の一実施例である舞台幕１１と緞帳１２を示すものであり、舞台幕１１と緞帳１２の基材２の少なくとも一側面に前記ガラス膜層３が設けることにより、長期使用中においても、表面に塵埃が付着したり色褪せが生じることがなく、外観的劣化を防ぐことができる。また、基材２とガラス膜層３との間に、周囲の光を蓄え自然発光可能な蓄光剤による発光膜層４を介在させたことにより、舞台幕１１と緞帳１２の全体が暗闇で高輝度に長時間自然発光するため、演出効果や安全面でも優れた効果が得られる。
【００２１】
【発明の効果】
以上説明してきたように、本発明の旗、幟、舞台幕および緞帳は、上述により以下に示す効果を奏するものである。
【００２２】
旗、幟、舞台幕および緞帳を構成する基材の少なくとも一側面に、単一あるいは多成分系の金属酸化物ガラス膜により形成されるガラス膜層を設けたことにより、屋外や室内に長期間掲げても表面に塵埃が付着したり、色褪せが生じることがなく、外観的劣化を防ぐことができる。
【００２３】
また、基材とガラス膜層との間に、周囲の光を蓄え自然発光可能な蓄光剤による発光膜層を介在させたことにより、旗、幟、舞台幕および緞帳全体が暗闇で高輝度に長時間自然発光するため、広告効果や標識力を高めることができる。
【図面の簡単な説明】
【図１】本発明の旗、幟、舞台幕および緞帳を構成する基材の拡大断面図である。
【図２】他の好適例を示す基材の拡大断面図である。
【図３】本発明の一実施例である旗の一部を欠切した正面図である。
【図４】前記旗が暗闇で自然発光している状態である。
【図５】本発明の一実施例である幟の一部を欠切した正面図である。
【図６】本発明の一実施例である舞台幕および緞帳の使用例である。
【符号の説明】
１・・・旗
２・・・基材
３・・・ガラス膜層
４・・・発光膜層
５・・・竿
１０・・幟
１１・・舞台幕
１２・・緞帳
ａ・・・図柄
【図１】
2004252393.tif 000003
【図２】
2004252393.tif 000004
【図３】
2004252393.tif 000005
【図４】
2004252393.tif 000006
【図５】
2004252393.tif 000007
【図６】
2004252393.tif 000008